【手続補正書】
【提出日】平成16年7月14日(2004.7.14)
【手続補正１】
【補正対象書類名】明細書
【補正対象項目名】発明の名称
【補正方法】変更
【補正の内容】
【発明の名称】ディスク装置のアース機構およびディスク装置
【手続補正２】
【補正対象書類名】明細書
【補正対象項目名】特許請求の範囲
【補正方法】変更
【補正の内容】
【特許請求の範囲】
【請求項１】
装置前部にディスク入出用のディスク開口部が設けられ、該ディスク開口部を形成する一対の樹脂製ベース部材の少なくとも何れか一方の反ディスク開口部側に、アースラインを備えた電気回路基板が取り付けられてなるディスク装置のアース機構であって、
上記電気回路基板が取り付けられた基板付きのベース部材に、該基板付きベース部材を貫通し上記ディスク開口部に開口する貫通穴が設けられ、該貫通穴に、上記アースラインと導通し上記ディスク開口部に向かって伸長する導電性部材が取り付けられていることを特徴とするディスク装置のアース機構。
【請求項２】
装置前部にディスク入出用のディスク開口部が設けられ、該ディスク開口部を形成する一対の樹脂製ベース部材の少なくとも何れか一方の反ディスク開口部側に、アースラインを備えた電気回路基板が取り付けられてなるディスク装置のアース機構であって、
上記電気回路基板が取り付けられた基板付きのベース部材に、該基板付きベース部材を貫通し上記ディスク開口部に開口する貫通穴が設けられ、
上記電気回路基板のアースラインに、上記電気回路基板の外形縁部に露出する露出部が設けられており、
上記電気回路基板が上記基板付きベース部材に取り付けられた状態で、上記アースラインの露出部が上記貫通穴に臨むように設定されている、
ことを特徴とするディスク装置のアース機構。
【請求項３】
ディスクが上記ディスク開口部に挿入されて来たことを検出するセンサ素子が上記電気回路基板に配設されており、上記貫通穴は、上記センサ素子よりも上記ディスク開口部の幅方向における中央側に配置されていることを特徴とする請求項１又は請求項２に記載のディスク装置のアース機構。
【請求項４】
ディスクが上記ディスク入出口に挿入されて来たことを検出する光センサ素子が、上記基板付きベース部材から離間した装置内部に配設されており、上記基板付きベース部材に該ベース部材を貫通し上記ディスク開口部に開口する第２の貫通穴が設けられ、該第２の貫通穴と上記光センサ素子との間に光を伝達する導光部材が配設されていることを特徴とする請求項１又は２に記載のディスク装置のアース機構。
【請求項５】
装置前部にディスク入出用のディスク開口部が設けられ、該ディスク開口部を形成する一対の樹脂製ベース部材の少なくとも何れか一方の反ディスク開口部側に、アースラインを備えた電気回路基板が取り付けられてなるディスク装置であって、
上記電気回路基板が取り付けられた基板付きのベース部材に、該基板付きベース部材を貫通し上記ディスク開口部に開口する貫通穴が設けられ、該貫通穴に、上記アースラインと導通し上記ディスク開口部に向かって伸長する導電性部材が取り付けられていることを特徴とするディスク装置。
【請求項６】
装置前部にディスク入出用のディスク開口部が設けられ、該ディスク開口部を形成する一対の樹脂製ベース部材の少なくとも何れか一方の反ディスク開口部側に、アースラインを備えた電気回路基板が取り付けられてなるディスク装置であって、
上記電気回路基板が取り付けられた基板付きのベース部材に、該基板付きベース部材を貫通し上記ディスク開口部に開口する貫通穴が設けられ、
上記電気回路基板のアースラインに、上記電気回路基板の外形縁部に露出する露出部が設けられており、
上記電気回路基板が上記基板付きベース部材に取り付けられた状態で、上記アースラインの露出部が上記貫通穴に臨むように設定されている、
ことを特徴とするディスク装置。
【手続補正３】
【補正対象書類名】明細書
【補正対象項目名】０００１
【補正方法】変更
【補正の内容】
【０００１】
【発明の属する技術分野】
この発明は、装置前部にディスク入出用のディスク開口部を備えたディスク装置のアース機構、及びかかるアース機構を有するディスク装置に関する。
【手続補正４】
【補正対象書類名】明細書
【補正対象項目名】０００７
【補正方法】変更
【補正の内容】
【０００７】
【発明が解決しようとする課題】
しかしながら、この従来の静電気対策を備えたディスク装置では、静電気をアースするための構成が非常に複雑でコスト高となり、また、装置前面の見映えも余り良くないという難点があった。
そこで、この発明は、簡単で且つ低コストの構成で、挿入されて来るディスクに帯電した静電気を確実にアースすることができるディスク装置のアース機構、及びかかるアース機構を有するディスク装置を提供することを目的としてなされたものである。
【手続補正５】
【補正対象書類名】明細書
【補正対象項目名】００１５
【補正方法】変更
【補正の内容】
【００１５】
この場合、ディスク開口部へのディスクの挿入を検出する光センサ素子は、上記基板付きベース部材から離間した装置内部に配設されており、上記ディスク開口部にディスクが挿入されて来ても、そのディスクに帯電した静電気が、ディスク開口部から離間した上記光センサ素子に印加されることはなく、確実に上記導電性部材または電気回路基板のアースライン露出部に印加されてアースされる。ここに、光センサ素子へは、上記第２の貫通穴との間に配設された導光部材を介して光が伝達される。
また更に、本願の請求項５に係る発明(以下、第５の発明という)は、装置前部にディスク入出用のディスク開口部が設けられ、該ディスク開口部を形成する一対の樹脂製ベース部材の少なくとも何れか一方の反ディスク開口部側に、アースラインを備えた電気回路基板が取り付けられてなるディスク装置であって、上記電気回路基板が取り付けられた基板付きのベース部材に、該基板付きベース部材を貫通し上記ディスク開口部に開口する貫通穴が設けられ、該貫通穴に、上記アースラインと導通し上記ディスク開口部に向かって伸長する導電性部材が取り付けられていることを特徴としたものである。
この場合、上記電気回路基板付きのベース部材に設けられた貫通穴に、電気回路基板のアースラインと導通しディスク開口部に向かって伸長する導電性部材が取り付けられていることにより、上記ディスク開口部に挿入されて来たディスクに帯電した静電気は、上記導電性部材およびアースラインを介して確実にアースされる。
また更に、本願の請求項６に係る発明(以下、第６の発明という)は、装置前部にディスク入出用のディスク開口部が設けられ、該ディスク開口部を形成する一対の樹脂製ベース部材の少なくとも何れか一方の反ディスク開口部側に、アースラインを備えた電気回路基板が取り付けられてなるディスク装置であって、上記電気回路基板が取り付けられた基板付きのベース部材に、該基板付きベース部材を貫通し上記ディスク開口部に開口する貫通穴が設けられ、上記電気回路基板のアースラインに、上記電気回路基板の外形縁部に露出する露出部が設けられており、上記電気回路基板が上記基板付きベース部材に取り付けられた状態で、上記アースラインの露出部が上記貫通穴に臨むように設定されている、ことを特徴としたものである。
この場合、電気回路基板が上記基板付きベース部材に取り付けられた状態で、上記電気回路基板のアースラインの露出部が、電気回路基板付きのベース部材に設けられた貫通穴に臨むように設定されていることにより、上記ディスク開口部に挿入されて来たディスクに帯電した静電気は、上記露出部およびアースラインを介して確実にアースされる。
【手続補正６】
【補正対象書類名】明細書
【補正対象項目名】００６３
【補正方法】変更
【補正の内容】
【００６３】
また更に、本願の第４の発明によれば、基本的には、上記第１又は第２の発明と同様の効果を奏することができる。特に、ディスク開口部へのディスクの挿入を検出する光センサ素子は、上記基板付きベース部材から離間した装置内部に配設されているので、ディスクがディスク開口部に挿入されて来ても、そのディスクに帯電した静電気は、ディスク開口部から離間した上記光センサ素子に印加されることはなく、確実に上記導電性部材または電気回路基板のアースライン露出部に印加されてアースされる。すなわち、光センサ素子のより確実な保護を図ることができる。
この場合において、光センサ素子へは、上記第２の貫通穴との間に配設された導光部材を介して光が伝達されるので、ディスク開口部にディスクが挿入されて来た際には、その挿入動作を支障無く検出することができる。
また更に、本願の第５の発明によれば、ディスク開口部を形成するベース部材のうち電気回路基板付きのベース部材に、該ベース部材を貫通しディスク開口部に開口する貫通穴が設けられ、該貫通穴に電気回路基板のアースラインと導通しディスク開口部に向かって伸長する導電性部材が取り付けられている。従って、ディスク開口部に挿入されて来たディスクに帯電した静電気は、上記導電性部材およびアースラインを介して確実にアースされる。すなわち、簡単で且つ低コストの構成で、挿入されて来るディスクに帯電した静電気を確実にアースすることができ、かかる静電気が装置内の電気部品や電子部品に印加されて当該部品の誤作動や損傷を招くことを有効に防止できる。
また更に、本願の第６の発明によれば、ディスク開口部を形成するベース部材のうち電気回路基板付きのベース部材に、該ベース部材を貫通しディスク開口部に開口する貫通穴が設けられるとともに、電気回路基板のアースラインに該電気回路基板の外形縁部に露出する露出部が設けられており、電気回路基板が上記基板付きベース部材に取り付けられた状態では、アースラインの露出部が上記貫通穴に臨むように設定されている。従って、ディスク開口部に挿入されて来たディスクに帯電した静電気は、上記電気回路基板のアースライン露出部およびアースラインを介して確実にアースされる。すなわち、簡単で且つ低コストの構成で、挿入されて来るディスクに帯電した静電気を確実にアースすることができ、かかる静電気が装置内の電気部品や電子部品に印加されて当該部品の誤作動や損傷を招くことを有効に防止できる。